(57)【要約】【課題】  意匠性を向上させるとともに、浴室外への湯水の漏れを防止する通気用ガラリを備える浴室用開口部装置を提供すること。【解決手段】  浴室の開口部に設けられた枠体と、この枠体に配置される戸体とを備え、この戸体は、左右一対の縦框と上框と下框とで四方枠組みされ、少なくとも一方の縦框１５に沿って、浴室内と浴室外とを連通する通気用ガラリ２０を備え、この通気用ガラリ２０は、縦框１５と協働して通気用の間隙を形成するガラリ部材２１を備え、これら縦框１５及びガラリ部材２１は、少なくとも一カ所が連結部材４０で連結され、この連結部材４０には通気用ガラリ２０内に浸入した水を浴室内に導く案内面４１〜４４を設けた。【選択図】      図６
2006226010.tif 000002
【特許請求の範囲】
【請求項１】
浴室の開口部に設けられた枠体と、この枠体に配置される戸体とを備え、
この戸体は、左右一対の縦框と上框と下框とで四方枠組みされ、少なくとも一方の縦框に沿って、浴室内と浴室外とを連通する通気用ガラリを備え、
この通気用ガラリは、前記縦框と協働して通気用の間隙を形成するガラリ部材を備え、これら縦框及びガラリ部材は、少なくとも一カ所が連結部材で連結され、この連結部材には通気用ガラリ内に浸入した水を浴室内に導く案内面を設けたことを特徴とする浴室用開口部装置。
【請求項２】
前記通気用ガラリは、前記縦框及び前記ガラリ部材の協働で形成された蛇行通路を有し、この蛇行通路が、浴室内側に開口した第１の通路と、浴室外側に開口した第２の通路と、これら通路を連通する第３の通路とを備えて構成されていることを特徴とする請求項１記載の浴室用開口部装置。
【発明の詳細な説明】
【技術分野】
【０００１】
本発明は、浴室内と浴室外とを連通する通気用ガラリを備える浴室用開口部装置に関する。
【背景技術】
【０００２】
従来、浴室内と浴室外とを連通する通気用ガラリを備える浴室用開口部装置が知られている（特許文献１参照）。この種の浴室用開口部装置では、枠体に配置される戸体の下框に沿って、上記通気用ガラリが形成されている。
【０００３】
【特許文献１】特開平１０−１５３０５７号公報
【発明の開示】
【発明が解決しようとする課題】
【０００４】
ところで、近年、意匠性に優れた通気用ガラリを備える浴室用開口部装置が要望されており、例えば、枠体の縦枠に沿って通気用ガラリを形成したものが考えられる。
しかし、このように構成した浴室用開口部装置では、縦枠に沿って形成された通気用ガラリに浸入した湯水が、この通気用ガラリの内部を流れ落ちる際に、当該通気用ガラリの内壁を伝わって浴室外側に回りこみ、浴室外側に漏れ出るという可能性が生じる。
【０００５】
そこで、本発明は、上記事情を考慮してなされたものであり、意匠性を向上させるとともに、浴室外への湯水の漏れを防止する通気用ガラリを備える浴室用開口部装置を提供することを目的とする。
【課題を解決するための手段】
【０００６】
本発明は、浴室の開口部に設けられた枠体と、この枠体に配置される戸体とを備え、この戸体は、左右一対の縦框と上框と下框とで四方枠組みされ、少なくとも一方の縦框に沿って、浴室内と浴室外とを連通する通気用ガラリを備え、この通気用ガラリは、縦框と協働して通気用の間隙を形成するガラリ部材を備え、これら縦框及びガラリ部材は、少なくとも一カ所が連結部材で連結され、この連結部材には通気用ガラリ内に浸入した水を浴室内に導く案内面を設けたことを特徴とする。
この構成において、通気用ガラリは、縦框及びガラリ部材の協働で形成された蛇行通路を有し、この蛇行通路が、浴室内側に開口した第１の通路と、浴室外側に開口した第２の通路と、これら通路を連通する第３の通路とを備える構成としても良い。
【発明の効果】
【０００７】
本発明では、浴室の開口部に設けられた枠体と、この枠体に配置される戸体とを備え、この戸体は、左右一対の縦框と上框と下框とで四方枠組みされ、少なくとも一方の縦框に沿って、浴室内と浴室外とを連通する通気用ガラリを備え、この通気用ガラリは、前記縦框と協働して通気用の間隙を形成するガラリ部材を備え、これら縦框及びガラリ部材は、少なくとも一カ所が連結部材で連結され、この連結部材には通気用ガラリ内に浸入した水を浴室内に導く案内面を設けたため、意匠性を向上させるとともに、浴室外への湯水の漏れを防止することができる。
また、本発明では、通気用ガラリは、縦框及びガラリ部材の協働で形成された蛇行通路を有し、この蛇行通路が、浴室内側に開口した第１の通路と、浴室外側に開口した第２の通路と、これら通路を連通する第３の通路とを備えて構成されているため、浴室内側から通気用ガラリに浸入した湯水が、蛇行通路を通じて、浴室外へ漏れ出ることを防止することができる。
【発明を実施するための最良の形態】
【０００８】
以下、添付図面を参照して本発明の一実施の形態について説明する。図１は、浴室の開口部に設けられた浴室用引戸（浴室用開口部装置）を浴室内側から見た図であり、図２は、浴室用引戸の横断面図である。
浴室用引戸１００は、浴室の開口部に設けられた枠体１を備え、この枠体１は、上枠１ａと、下枠１ｂと、左右に配置された縦枠１ｃ，１ｄとを四方枠組みして構成されている。この枠体１には、当該枠体１に開閉自在に配置されるサッシ２（戸体）と、当該枠体１に固定配置される固定サッシ３（戸体）とが設けられている。
【０００９】
サッシ２は、左右一対の縦框４、５と上框６と下框７とで四方枠組みされ、その内側に樹脂パネル８が配置されている。戸先側の縦框４には、サッシ２を開閉操作するバーハンドル９と、当該サッシ２を閉じた状態でロックする錠１０とが設けられている。
固定サッシ３は、左右一対の縦框１５、１６（図２）と上框１７と下框１８とで四方枠組みされ、その内側に樹脂パネル１９が配置されている。サッシ２の縦框５及び固定サッシ３の縦框１６（図２）は、召し合わせ框であり、枠体１の中央部で重なりあっている。また、固定サッシ３は、浴室内と浴室外（例えば、脱衣室）とを連通する通気用ガラリ２０を備え、この通気用ガラリ２０は、縦枠１ｄ側に配置される縦框１５に沿って、上框１７から下框１８に渡って形成されている。
【００１０】
図３は、通気用ガラリを示す断面拡大図である。通気用ガラリ２０は、縦框１５に係合するガラリ部材２１を備えて構成され、このガラリ部材２１は、上記縦框１５と協働して通気用の間隙を形成している。縦框１５は、断面略コ字状をした框部１５ａと、この框部１５ａの浴室内側の面１５ａ１の先端を見込み方向（図中矢印Ｘ方向）に折り曲げた曲げ部１５ｂとを備える。この曲げ部１５ｂには、縦框１５の高さ方向の所定間隔ごとに、後述する連結ピース（連結部材）を係止する係止孔１５ｃが形成されている。
【００１１】
また、ガラリ部材２１は、断面略コ字状に形成され、ビード２２を介して樹脂パネル１９を保持する保持部２１ａと、この保持部２１ａに連なり、固定サッシ３の幅方向に延出する立ち壁部２１ｂと、この立ち壁部２１ｂに連なり、縦框１５と係合する係合部２１ｃとを備える。立ち壁部２１ｂには、この立ち壁部２１ｂの途中から浴室内側に向かって延出する断面略Ｌ字状の水返し片２１ｄが設けられるとともに、この水返し片２１ｄと係合部２１ｃとの間に、ガラリ部材２１の高さ方向の所定間隔ごとに連通開口２１ｅが形成されている。この連通開口２１ｅは、通気用ガラリ２１内部において浴室内と浴室外とを連通するものである。なお、この連通開口２１ｅは、ガラリ部材２１を縦框１５に係合させた場合に、この縦框１５の浴室外側の面１５ａ２によって、当該連通開口２１ｅが外部に露見しないようになっている。
【００１２】
このように、通気用ガラリ２０は、縦框１５とガラリ部材２１とを組み合わせることによって、当該縦框１５及びガラリ部材２１が協働して、浴室内と浴室外とを連通する蛇行通路２３を形成する。この蛇行通路２３は、浴室内に開口する第１通路２５と、浴室外に開口する第２通路２６と、これら第１通路２５及び第２通路２６を連通する第３通路２７とを備えている。浴室内で換気扇（不図示）は運転されると、浴室外の空気は、第２通路２６を通じて通気用ガラリ２１の内に供給され、その後、連通開口２１ｅ、第３通路２７及び第１通路２５を通じて浴室内に供給される。
【００１３】
また、通気用ガラリ２０には、図１に示すように、縦框１５とガラリ部材２１（図４あるいは図６）とを連結する連結ピース３０、４０（連結部材）が配置される。本構成では、連結ピース３０、４０は、通気用ガラリ２０の高さ方向に所定の間隔で配置されており、第１の連結ピース３０は、当該通用ガラリ２０の中間部に２つ配置され、第２の連結ピース４０は、通気用ガラリ２０の下部に１つ配置されている。
【００１４】
第１の連結ピース３０は、図４に示すように、蛇行通路２３の第３通路２７の一部に係合するように樹脂成形されており、ピース本体３０ａと、このピース本体３０ａとの間で縦框１５の曲げ部１５ｂを狭持する狭持部３０ｂとを備える。ピース本体３０ａには、ガラリ部材２１の水返し片２１ｄの先端部に嵌合する嵌合溝３０ｃと、上記曲げ部１５ｂに形成された係止孔１５ｃに係止する係止爪３０ｄとが形成されている。
このように、通用ガラリ２０の中間部に配置される第１の連結ピース３０は、蛇行通路２３の第３通路２７に配置されるため、固定サッシ３を浴室内側から見た場合には、通気用ガラリ２０上に当該第１の連結ピース３０が外部から露見しないことにより、固定サッシ３及び浴室用引戸１００の意匠性の向上が図られている。
【００１５】
また、ピース本体３０ａの上部には、図４、図５（Ａ）及び図５（Ｂ）に示すように、当該ピース本体３０ａの上縁３０ａ１に連なり下方に向けて傾斜した第１案内面３１と、この第１案内面３１の終端３１ａに連なり、下方に傾斜した第２案内面３２と、この第２案内面３２の終端３２ａに連なり、下方に傾斜した第３案内面３３とが形成されている。
これら各案内面３１〜３３は、蛇行通路２３の第３通路２７に配置されており、第１の連結ピース３０は、上記各案内面３１〜３３を介して、当該第３通路２７に浸入した湯水を第１通路２５に導くように構成されている。
【００１６】
第２の連結ピース４０は、図６に示すように、蛇行通路２３の第３通路２７の一部及び第１通路２５に係合するように樹脂成形されており、ピース本体４０ａと、このピース本体４０ａとの間で縦框１５の曲げ部１５ｂを狭持する狭持部４０ｂとを備える。ピース本体４０ａには、ガラリ部材２１の水返し片２１ｄの先端部に嵌合する嵌合溝４０ｃと、上記曲げ部１５ｂに形成された係止孔１５ｃに係止する係止爪４０ｄとが形成されている。
【００１７】
また、ピース本体４０ａの上部には、図６、図７（Ａ）及び図７（Ｂ）に示すように、当該ピース本体４０ａの上縁４０ａ１に連なり下方に向けて傾斜した第１案内面４１と、この第１案内面４１の終端４１ａに連なり、下方に傾斜した第２案内面４２と、この第２案内面４２の終端４２ａに連なり、下方に傾斜した第３案内面４３とが形成され、狭持部４０ｂの上部には、当該第３案内面４３の終端４３ａに連なり、下方に傾斜した第４案内面４４が形成されている。これら第１〜第３案内面４１〜４３は、蛇行通路２３の第３通路２７に配置され、第４案内面４４は蛇行通路２３の第１通路に配置されている。第２の連結ピース４０は、各案内面４１〜４４を介して、蛇行通路２３の第３通路２７もしくは第１通路２５に浸入した湯水を最終的に浴室内側に排出するように構成されている。
【００１８】
本構成では、第１及び第２の連結ピース３０、４０によって、縦框１５とガラリ部材２１とを連結しているため、縦框１５とガラリ部材２１とのガタつきが防止され、これら縦框１５及びガラリ部材２１を強固に連結することができる。
【００１９】
次に、通気用ガラリ２０の排水作用について説明する。
浴室内でシャワーなどの湯水が通気用ガラリ２０にかかると、この湯水は、図３に示すように、ガラリ部材２１の立ち壁部２１ｂにあたり、勢いを失って当該立ち壁部２１ｂを伝わって下方に流れる。また、この立ち壁部２１ｂにあたった湯水の中には、当該立ち壁部２１ｂではね返るものもある。この場合、立ち壁部２１ｂではね返った湯水は、水返し片２１ｄの内壁２１ｄ１もしくは框部１５ａの内壁１５ａ１１にあたり、ここで勢いを失って、水返し片２１ｄもしくは框部１５ａの内壁２１ｄ１、１５ａ１１を伝わって下方に流れる。すなわち、通気用ガラリ２０に浸入した湯水の多くは、蛇行通路２３の第１通路２５及び第３通路２７を流れ落ちる。
【００２０】
このように、浴室内で通気用ガラリ２０にかかった湯水は、蛇行通路２３の各壁面にあたり、当該蛇行通路２３の第１通路２５及び第３通路２７を流れ落ちるため、この湯水が蛇行通路２３の第２通路２６を介して浴室外側に漏れ出ることが防止される。
【００２１】
そして、湯水が第１の連結ピース３０の位置まで流れ落ちると、この湯水は、図４に示すように、例えば、当該第１の連結ピース３０の第１案内面３１、第２案内面３２及び第３案内面３３上を案内されて、この第３案内面３３の先端部３３ａから下方に流れ落ちる。このように、本構成では、通気用ガラリ２０の中間部に第１の連結ピース３０を配置したことにより、この第１の連結ピース３０を介して、蛇行通路２３の第３通路２７を流れ落ちる湯水を第１通路２５側に戻すように案内することができる。このため、上記第３通路２７に浸入した湯水が、縦框１５の内壁もしくはガラリ部材２１の壁面を伝わって流れ落ちる際に、当該第３通路２７から第２通路に回りこみ、上記湯水が浴室外側に漏れ出る事を防止することができる。
【００２２】
続いて、この湯水が第２の連結ピース４０の位置まで流れ落ちると、この湯水は、図６に示すように、例えば、当該第２の連結ピース４０の第１案内面４１から第２案内面４２、第３案内面４３及び第４案内面４４上を案内されて、この第４案内面４４の先端部４４ａから浴室内側に排出される。このように、本構成では、通気用ガラリ２０の下部に第２の連結ピース４０を配置したことにより、この第２の連結ピース４０を介して、蛇行通路２３の第３通路２７もしくは第１通路２５を流れ落ちる湯水を、浴室内側に確実に排出することができる。
【００２３】
本実施形態では、固定サッシ３の一方の縦框１５に沿って、浴室内側と浴室外側とを連通する通気用ガラリ２０を設けているため、この通気用ガラリ２０を通じて浴室内に供給される空気を高さ方向に分散させることができ、入浴者がこの空気によって寒気を感じることを防止できるとともに、固定サッシ３及び浴室用引戸１００の意匠性を向上することができる。
【００２４】
また、本実施形態では、通気用ガラリ２０は、縦框１５及びガラリ部材２１の協働で形成された蛇行通路２３を有し、この蛇行通路２３が、浴室内側に開口した第１の通路２５と、浴室外側に開口した第２の通路２６と、これら通路を連通する第３の通路２７とを備えて構成されることにより、浴室内で通気用ガラリ２０にかかった湯水は、ほとんど上記第１の通路２５及び第３の通路２７の壁面にあたり、これら各壁面を伝わって流れ落ちるため、この湯水が第２通路２６を通じて浴室外側に漏れ出ることが防止される。
【００２５】
また、本実施形態では、通気用ガラリ２０は、縦框１５と協働して通気用の間隙を形成するガラリ部材２１を備え、これら縦框１５及びガラリ部材２１は、第１の連結ピース３０及び第２の連結ピース４０によって連結する構成となっているため、縦框１５とガラリ部材２１とのガタつきを防止するとともに、これら縦框１５及びガラリ部材２１を強固にかつ簡単に連結することができる。
【００２６】
また、本実施形態では、通気用ガラリの中間部に配置された第１の連結ピース３０は、蛇行通路２３の第３通路に配置されるような形状に構成されているため、固定サッシ３を浴室内側から見た場合には、通気用ガラリ２０上に当該第１の連結ピース３０が外部から露見しない。このため、固定サッシ３及び１００の意匠性の向上が図られる。
【００２７】
また、本実施形態では、各連結ピース３０、４０に通気用ガラリ２０に浸入した水を浴室内に導く案内面３１〜３３、４１〜４４を設けたことにより、通気用ガラリ２０の第３通路２７に浸入した湯水を浴室内側に確実に排出することができ、この第３通路２７に浸入した湯水が縦框１５の内壁もしくはガラリ部材２１の壁面を伝わって流れ落ちる際に、当該第３通路２７から第２通路に回りこみ、上記湯水が浴室外側に漏れ出る事を防止することができる。
【００２８】
以上、本発明を上記実施の形態に基づいて説明したが、本発明はこれに限定されるものではなく、本発明の要旨を逸脱しない範囲での種々の設計変更等が可能である。例えば、本実施形態では、通気用ガラリ２０を固定用サッシ３の縦框１５に沿って設けているが、これに限るものではなく、可動するサッシ２の縦框４に沿って設ける構成としても良い。また、本実施形態では、通気用ガラリ２０を浴室用引戸１００に設けた構成について説明しているが、これに限るものではなく、浴室用ドアに当該通気用ガラリを設ける構成としても良い。この場合、通気用ガラリは、浴室用ドアのドア体の吊元側の縦框に沿って形成されるのが望ましい。
【図面の簡単な説明】
【００２９】
【図１】本発明の実施の形態である浴室用サッシの立面図である。
【図２】浴室用サッシの横断面図である。
【図３】通気用ガラリの拡大横断面図である。
【図４】（Ａ）は第１の連結ピースの右側面図であり、（Ｂ）は第１の連結ピースの正面図である。
【図５】図１のＡ−Ａ断面図である。
【図６】（Ａ）は第１の連結ピースの右側面図であり、（Ｂ）は第１の連結ピースの正面図である。
【図７】図１のＢ−Ｂ断面図である。
【符号の説明】
【００３０】
１  枠体
２  サッシ（戸体）
３  固定サッシ（戸体）
１５  縦框
２０  通気用ガラリ
２１  ガラリ部材
２３  蛇行通路
２５  第１通路
２６  第２通路
２７  第３通路
３０  第１の連結ピース（連結部材）
３１、３２、３３  案内面
４０  第２の連結ピース（連結部材）
４１、４２、４３、４４  案内面
【図１】
2006226010.tif 000003
【図２】
2006226010.tif 000004
【図３】
2006226010.tif 000005
【図４】
2006226010.tif 000006
【図５】
2006226010.tif 000007
【図６】
2006226010.tif 000008
【図７】
2006226010.tif 000009